(57)【要約】【課題】斜面を利用した陳列形態であって、奥行き寸法が短い陳列棚に適用でき、且つ商品陳列面の収納スペースを変更できる少ない部材で構成される商品陳列台及び商品陳列台セットを提供すること。【解決手段】商品を載置する緩斜面４１及び緩斜面４１の反対側にあり上端で緩斜面４１と連続する急斜面４２とで構成される枠体状の斜面部４と、緩斜面４１に連続すると共に平板面に横溝を複数条配設したピッチ調整部３ａとからなる商品陳列台２ａを２個使用し、一の商品陳列台２ａのピッチ調整部３ａの一の横溝５３と、他の商品陳列台２ａの緩斜面４１側の端部にある係合部４４を係合させ、２つの斜面を一方向に隣接して配置した商品陳列台セット１Ａ。【選択図】　　　　図１
2004008424.tif 000002
【特許請求の範囲】
【請求項１】
商品を載置する緩斜面及び該緩斜面の反対側にあり上端で該緩斜面と連続する急斜面とで構成される斜面部と、前記緩斜面に連続すると共に平板面に横溝を複数条配設したピッチ調整部とからなることを特徴とする商品陳列台。
【請求項２】
商品を載置する緩斜面及び該緩斜面の反対側にあり上端で該緩斜面と連続する急斜面とで構成される斜面部と、前記急斜面に連続すると共に平板面に横溝を複数条配設したピッチ調整部とからなることを特徴とする商品陳列台。
【請求項３】
請求項１記載の商品陳列台の複数個を組み付けて用いるものであって、一の商品陳列台のピッチ調整部の一の横溝と、他の商品陳列台の急斜面側の端部にある係合部を係合させ、２以上の斜面を一方向に隣接して配置したことを特徴とする商品陳列台セット。
【請求項４】
請求項２記載の商品陳列台の複数個を組み付けて用いるものであって、一の商品陳列台のピッチ調整部の一の横溝と、他の商品陳列台の緩斜面側の端部にある係合部を係合させ、２以上の斜面を一方向に隣接して配置したことを特徴とする商品陳列台セット。
【請求項５】
前記横溝を３条に配設したピッチ調整部を有する商品陳列台を２個組み付けて用いることを特徴とする請求項３又は４記載の商品陳列台セット。
【発明の詳細な説明】
【０００１】
【発明の属する技術分野】
本発明は、主にスーパー、百貨店、専門店、コンビニエンスストアー等の店内の陳列ケース棚で商品を陳列するのに用いられ、特に奥行き寸法が制限された陳列棚での使用に好適で且つ陳列の演出に優れた商品陳列台及び商品陳列台セットに関するものである。
【０００２】
【従来の技術】
近年、スーパー、百貨店、専門店、コンビニエンスストアー等の店内で使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。
【０００３】
【発明が解決しようとする課題】
しかしながら、上記の陳列棚は一体型であるため、一の斜面と続く斜面の間隔は一定であり、変化させることができない。このため、模様替えにより大きさの異なる商品を入れ替える場合、対応できないケースがある。また、上記の陳列棚は奥行き寸法の長い陳列ケースへの適用を想定したものであり、奥行き寸法の短い陳列棚には適用できないという問題がある。斜面を利用した陳列形態であって、奥行き寸法が短い陳列棚に適用でき、且つ商品陳列面の収納スペースを変更できる方法として、複数の溝を所定の間隔且つ平行に設けた棚板と、係止片を有する山形状の陳列補助台を複数個設け、これを組み合わせて使用する方法が考えられる。しかし、この方法は、少なくも３個の部材を用意する必要があると共に、係止片を棚板の溝に係合させる作業が面倒であるという問題がある。また、陳列棚の模様替えにおいて、商品サイズは異なるものの、極端には違わないサイズの商品に代える場合、ピッチの変更はしたいが、微小なピッチ調整が不要のものがある。
【０００４】
従って、本発明の目的は、斜面を利用した陳列形態であって、奥行き寸法が短い陳列棚に適用でき、且つ商品陳列面の収納スペースを比較的大まかなピッチ調整で変更できる少ない部材で構成される商品陳列台及び商品陳列台セットを提供することにある。
【０００５】
【課題を解決するための手段】
かかる状況において、本発明者らは、鋭意検討を行った結果、商品を載置する緩斜面と急斜面で構成される斜面部と、前記緩斜面又は前記急斜面のいずれかに連続すると共に平板面に横溝を複数条配設したピッチ調整部とからなる商品陳列台を複数個用意し、一の商品陳列台のピッチ調整部の一の横溝と、他の商品陳列台の緩斜面側又は急斜面側の端部にある係合部を係合させ、２以上の斜面を一方向に隣接して配置したものが、奥行き寸法が短い陳列棚に適用でき、且つ商品陳列面の収納スペースを比較的大まかなピッチ調整で変更できること等を見出し、本発明を完成するに至った。
【０００６】
すなわち、本発明（１）は、商品を載置する緩斜面及び該緩斜面の反対側にあり上端で該緩斜面と連続する急斜面とで構成される斜面部と、前記緩斜面に連続すると共に平板面に横溝を複数条配設したピッチ調整部とからなる商品陳列台、本発明（２）は、商品を載置する緩斜面及び該緩斜面の反対側にあり上端で該緩斜面と連続する急斜面とで構成される斜面部と、前記急斜面に連続すると共に平板面に横溝を複数条配設したピッチ調整部とからなる商品陳列台、また、本発明（３）は、前記（１）の商品陳列台の複数個を組み付けて用いるものであって、一の商品陳列台のピッチ調整部の一の横溝と、他の商品陳列台の急斜面側の端部にある係合部を係合させ、２以上の斜面を一方向に隣接して配置した商品陳列台セット、本発明（４）は、前記（２）の商品陳列台の複数個を組み付けて用いるものであって、一の商品陳列台のピッチ調整部の一の横溝と、他の商品陳列台の緩斜面側の端部にある係合部を係合させ、２以上の斜面を一方向に隣接して配置した商品陳列台セット、本発明（５）は、前記横溝を３条に配設したピッチ調整部を有する商品陳列台を２個組み付けて用いる前記（３）又は（４）記載の商品陳列台セットをそれぞれ提供するものである。
【０００７】
【発明の実施の形態】
次に、本発明の第１の実施の形態における商品陳列台及び商品陳列台セットを図１〜図４を参照して説明する。図１は本発明の第１の実施の形態における商品陳列台を２個組み合わせて使用する商品陳列台セットの斜視図、図２は図１の分解図、図３は一の商品陳列台と他の商品陳列台との係合状態を示す図、図４は図１の商品陳列台セット２個を横並びで使用する状態を説明する図である。
【０００８】
商品陳列台２ａは、商品を載置する緩斜面４１と、緩斜面４１の反対側にあり上端で緩斜面４１と連続する急斜面４２とで構成される枠体状の斜面部４と、緩斜面４１の急斜面４２とは反対側の端部と連続すると共に斜面部４の幅寸法よりやや小さめの幅寸法を有する平板面に横溝５１、５２、５３を３条に配設したピッチ調整部３ａとからなる。
【０００９】
すなわち、ピッチ調整部３ａもまた内部がくり抜き状の枠体であり、斜面側より順に第１係合溝５１、第２係合溝５２及び第３係合溝５３を有し、これらの溝間の平坦面は商品載置面６１、６２、６３を形成し、全体が商品載置機能とピッチ調整機能を備えるものである。また、急斜面４２側の端部は、急斜面を内側に屈曲させ鉛直部を構成し、これを他の商品陳列台のピッチ調整部３ａの横溝５に係合する第１係合部４４としている。ピッチ調整部３ａ上の横溝間のピッチは従来の商品陳列棚に形成されるピッチ幅と比較して大きい。すなわち、平板面の前後方向の長さの割には、横溝５を比較的大きなピッチで採ると共に、ピッチの深さや溝幅も比較的大きく採るように構成される。これによれば、一の商品陳列台と他の商品陳列台との組み付けを容易にすると共に、微調整が不要の陳列形態を採る用途に好適であり、また、商品の陳列安定性が向上する。また、第１係合部４４は両側に側面部材４３を備えることから、第１係合部４４がピッチ調整部３ａの横溝に係合すると、側面部材４３がピッチ調整部３ａの側面をも覆い左右方向のずれを防止する。本実施の形態例の商品陳列台２ａは、陳列棚面上にそれ単体を乗せて用いてもよいが、複数個を前後方向に連続して組み付けるセットもので使用すると、陳列の演出効果が向上する点で好適である。
【００１０】
次に、第１の実施の形態における商品陳列台セットを図１〜図４を参照して説明する。図１の商品陳列台セット１Ａは前記商品陳列台２ａの２個を組み付けて用いるものであって、一の商品陳列台のピッチ調整部３ａの一の横溝５３と、他の商品陳列台の急斜面４２側の端部にある第１係合部４４を係合させ、２つの斜面４１、４１を一方向に隣接して配置する形態を採るものである（図３（Ｃ））。この組み付け形態によれば、商品陳列面はＸ１とＸ２の２箇所形成でき、特に前方陳列面であるＸ１及び後方陳列面であるＸ２部分の双方の空間を広く採ることができる。また、他の組み付け形態として、一の商品陳列台のピッチ調整部３ａの一の横溝５２と、他の商品陳列台の急斜面４２側の端部にある第１係合部４４を係合させ、２つの斜面４１、４１を一方向に隣接して配置する形態が挙げられる（図３（Ｂ））。この組み付け形態によれば、商品陳列面はＸ１とＸ２の２箇所形成でき、前方陳列面であるＸ１部分の空間は広く採れるものの、後方陳列面であるＸ２部分の空間はやや狭くなり、陳列スペースが異なる演出を行うことができる。また、他の組み付け形態として、一の商品陳列台のピッチ調整部３ａの一の横溝５１と、他の商品陳列台の急斜面４２側の端部にある第１係合部４４を係合させ、２つの斜面４１、４１を一方向に隣接して配置する形態が挙げられる（図３（Ａ））。この組み付け形態によれば、商品陳列面はＸ１とＸ２の２箇所形成でき、前方陳列面であるＸ１部分の空間は広く採れるものの、後方陳列面であるＸ２部分の空間は狭くなり、陳列スペースが異なる更に別の演出を行うことができる。
【００１１】
第１の実施の形態例の商品陳列台セット１Ａによれば、斜面を利用した陳列形態であって、奥行き寸法が短い陳列棚に適用でき、且つ２つの部材の組み合わせで、２つの陳列スペースの組み合わせを３通り変化させる演出を行うことができる。また、第１係合部４４がピッチ調整部３ａの横溝に係合すると共に、側面部材４３がピッチ調整部３ａの側面に位置するため、係合安定性が向上する。また、図４に示すように、本例の商品陳列台セット１Ａを複数個を横並びに使用すれば、横方向に長い陳列面を形成することができる。
【００１２】
次に、本発明の第２の実施の形態における商品陳列台及び商品陳列台セットを図５〜図８を参照して説明する。図５は本発明の第２の実施の形態における商品陳列台を２個組み合わせて使用する商品陳列台セットの斜視図、図６は図５の分解図、図７は一の商品陳列台と他の商品陳列台との係合状態を示す図、図８は図１の商品陳列台セット２個を横並びで使用する状態を説明する図である。図５〜図８において、図１〜図４と同一構成要素には同一符号を付してその説明を省略し、異なる点について主に説明する。図５〜図８において、図１〜図４と異なる点はピッチ調整部３ｂの設置位置を急斜面側とし、緩斜面の急斜面側とは反対側端部を第２係合部４５とした点にある。従って、商品の陳列面は緩斜面である点に変わりはないため、ピッチ調整部３ｂは商品陳列台セット１Ｂの後方側に位置することになる。
【００１３】
すなわち、商品陳列台２ｂは、商品を載置する緩斜面４１と、緩斜面４１の反対側にあり上端で緩斜面４１と連続する急斜面４２とで構成される枠体状の斜面部４と、急斜面４２の緩斜面４１とは反対側の端部と連続すると共に斜面部４の幅寸法よりやや小さめの幅寸法を有する平板面に横溝５１、５２、５３を３条に配設したピッチ調整部３ｂとからなる。
【００１４】
すなわち、ピッチ調整部３ｂもまた内部がくり抜き状の枠体であり、斜面側より順に第１係合溝５１、第２係合溝５２及び第３係合溝５３を有し、これらの溝間の平坦面は商品載置面６１、６２、６３となり、全体が商品載置機能とピッチ調整機能を備えるものである。また、緩斜面側の端部は、緩斜面を内側に屈曲させ鉛直部を構成し、これを他の商品陳列台のピッチ調整部３ｂの横溝５に係合する第２係合部４５としている。ピッチ調整部３ｂ上の横溝間のピッチは従来の商品陳列棚に形成されるピッチ幅と比較して大きい。すなわち、平板面の前後方向の長さの割には、横溝５を比較的大きなピッチで採ると共に、ピッチの深さや溝幅も比較的大きく採るように構成される。これによれば、前記第１の実施の形態例の商品陳列台と同様の効果を奏する。
【００１５】
次に、第２の実施の形態における商品陳列台セットを図５〜図８を参照して説明する。図５の商品陳列台セット１Ｂは前記商品陳列台２ｂの２個を組み付けて用いるものであって、一の商品陳列台のピッチ調整部３ｂの一の横溝５３と、他の商品陳列台の緩斜面４１側の端部にある第２係合部４５を係合させ、２つの斜面４１、４１を一方向に隣接して配置する形態を採るものである（図７（Ｃ））。この組み付け形態によれば、商品陳列面はＸ３、Ｘ４及Ｘ５の３箇所形成でき、特に第２陳列面であるＸ４部分の空間を広く採ることができる。また、他の組み付け形態として、一の商品陳列台のピッチ調整部３ｂの一の横溝５２と、他の商品陳列台の緩斜面４１側の端部にある第２係合部４５を係合させ、２つの斜面４１、４１を一方向に隣接して配置する形態が挙げられる（図７（Ｂ））。この組み付け形態によれば、商品陳列面はＸ３、Ｘ４及Ｘ５の３箇所を形成でき、第２陳列面であるＸ４部分の空間はやや狭くなる陳列の演出を行うことができる。また、他の組み付け形態として、一の商品陳列台のピッチ調整部３ｂの一の横溝５１と、他の商品陳列台の緩斜面４１側の端部にある第２係合部４５を係合させ、２つの斜面４１、４１を一方向に隣接して配置する形態が挙げられる（図７（Ａ））。この組み付け形態によれば、商品陳列面はＸ３、Ｘ４及Ｘ５の３箇所を形成でき、第２陳列面であるＸ４部分の空間は狭くなる陳列の演出を行うことができる。なお、本例の商品陳列台セット１Ｂは、後方側にピッチ調整部３ｂが配置されるが、当該商品陳列台セット１Ｂの後方に不図示の陳列棚から立設する後方板などを設ければ、ピッチ調整部３ｂも商品陳列面Ｘ５とすることができる。第２の実施の形態例の商品陳列台セット１Ｂにおいても、第１の実施の形態例の商品陳列台セット１Ａと同様の効果を奏することができる。
【００１６】
本発明の商品陳列台において、ピッチ調整部に配設される横溝の条数は、複数条であれば、特に制限されないが、上記実施の形態例のように３条であることが、商品載置安定性及び他の商品陳列台との係合安定性を両立することができる点で好適である。また、本発明の商品陳列台セットは商品陳列台の複数個を組み付けて用いるものであれば特に制限されないが、上記実施の形態例のように２個の組み付けのものが、奥行きが制限された陳列棚においても種々の陳列を演出することができる点で好適である。
【００１７】
以上、本発明の実施形態を説明したが、具体的な構成はこれに限定されず、本発明の要旨を逸脱しない範囲での変更、追加は本発明の範囲内である。
【００１８】
【発明の効果】
本発明によれば、斜面を利用した陳列形態であって、奥行き寸法が短い陳列棚に適用でき、且つ少ない部材の組み合わせで、陳列スペースが異なる３通りの陳列の演出を行うことができる。また、ピッチ調整部の斜面部への設置位置が異なる他の形態の商品陳列台を用いれば、更に陳列スペースが異なる３通りの陳列の演出を行うことができる。また、一の商品陳列台と他の商品陳列台の係合は係合部ピッチ調整部の横溝に係合すると共に、側面部材がピッチ調整部の側面に位置するように行うため、係合安定性が向上する。また、ピッチの微少調整はいらない点で係合作業が行い易い。また、本例の商品陳列台セットを複数個を横並びに使用すれば、横方向に長い陳列面を形成することができる。
【図面の簡単な説明】
【図１】本発明の第１の実施の形態における商品陳列台を２個組み合わせて使用する商品陳列台セットの斜視図である。
【図２】図１の分解図である。
【図３】一の商品陳列台と他の商品陳列台との係合状態を示す図である。
【図４】図１の商品陳列台セット２個を横並びで使用する状態を説明する図である。
【図５】本発明の第２の実施の形態における商品陳列台を２個組み合わせて使用する商品陳列台セットの斜視図である。
【図６】図５の分解図である。
【図７】第２の実施の形態例における一の商品陳列台と他の商品陳列台との係合状態を示す図である。
【図８】図５の商品陳列台セット２個を横並びで使用する状態を説明する図である。
【符号の説明】
１Ａ、１Ｂ　　　　　　　商品陳列台セット
２ａ、２ｂ　　　　　　　商品陳列台
３ａ、３ｂ　　　　　　　ピッチ調整部
４　　　　　　　　　　　斜面部
５　　　　　　　　　　　溝部
６　　　　　　　　　　　平坦面（商品載置面）
４１　　　　　　　　　　　緩斜面
４２　　　　　　　　　　　急斜面
４３　　　　　　　　　　　側面部材
４４　　　　　　　　　　　第１係合部
４５　　　　　　　　　　　第２係合部
５１　　　　　　　　　　　第１係合溝
５２　　　　　　　　　　　第２係合溝
５３　　　　　　　　　　　第３係合溝
Ｘ１〜Ｘ５　　　　　　　　商品陳列面
【図１】
2004008424.tif 000003
【図２】
2004008424.tif 000004
【図３】
2004008424.tif 000005
【図４】
2004008424.tif 000006
【図５】
2004008424.tif 000007
【図６】
2004008424.tif 000008
【図７】
2004008424.tif 000009
【図８】
2004008424.tif 000010